(57)【要約】【課題】消費電力を抑制し、操作性を向上させることが可能な技術を提供する。【解決手段】画像読取時に原稿を挿入するための挿入口２６と、閉じられた状態では挿入口を覆わない位置に設けられたカバー１４とを備え、カバーが開けられた状態で所定の処理を行い、カバーが閉じられた状態でスキャン処理を行うスキャナ１０であって、省電力状態においてカバーが閉じられた場合に、省電力状態が維持され、省電力状態において挿入口に原稿が挿入された場合に、省電力状態が解除される。つまり、ユーザがスキャン処理を意図して、原稿を挿入口に挿入した場合には、省電力状態が解除され、ユーザがスキャン処理を意図せず、カバーを閉じた場合、例えば、スキャナの使用の終了を意図して、カバーを閉じた場合には、省電力状態が維持される。これにより、消費電力を抑制するとともに、スキャン処理への迅速な対応により、操作性を向上させることが可能となる。【選択図】図２
2014053785.tif 000002
【特許請求の範囲】
【請求項１】
画像読取時に原稿を挿入するための挿入口と、
閉じられた状態では前記挿入口を覆わない位置に開閉可能に設けられたカバーと、
を備え、前記カバーが開けられた状態で所定の処理を行い、前記カバーが閉じられた状態で画像の読取を行う画像読取装置であって、
前記画像読取装置が所定時間放置されることで、前記画像読取装置の電力状態を、通常状態から省電力状態に移行する省電力状態移行手段と、
前記省電力状態において前記カバーが閉じられた場合に、前記省電力状態を維持する省電力状態維持手段と、
前記省電力状態において前記挿入口に原稿が挿入された場合に、前記省電力状態を解除する省電力状態解除手段と、
を備えることを特徴とする画像読取装置。
【請求項２】
前記省電力状態解除手段は、
前記省電力状態において前記カバーが開けられた場合に、前記省電力状態を解除することを特徴とする請求項１に記載の画像読取装置。
【請求項３】
前記挿入口への原稿の挿入により前記省電力状態が解除された後に、画像の読取を開始する画像読取手段を備えることを特徴とする請求項１または２に記載の画像読取装置。
【請求項４】
画像データの送信先を選択するための複数の選択ボタンと、
前記挿入口への原稿の挿入により前記省電力状態が解除され、前記選択ボタンが選択された後に、画像の読取を開始する画像読取手段と、
を備えることを特徴とする請求項１または２に記載の画像読取装置。
【請求項５】
画像データの送信先を選択するための複数の選択ボタンと、
前記挿入口への原稿の挿入により前記省電力状態が解除された後に、前記複数の選択ボタンを表示させる選択ボタン表示手段と、
を備えることを特徴とする請求項１ないし４の何れか１項に記載の画像読取装置。
【請求項６】
画像データの送信先を選択するための複数の選択ボタンと、
前記挿入口への原稿の挿入により前記省電力状態が解除された後に、前記複数の選択ボタンを全て表示させ、設定時間経過後に、前記複数の選択ボタンのうちの画像データを送信することが可能な状態にある送信先に対応する前記選択ボタンのみを表示させる選択ボタン表示手段と、
を備えることを特徴とする請求項１ないし５の何れか１項に記載の画像読取装置。
【請求項７】
前記画像読取装置の電力状態は、
前記通常状態と、前記通常状態より電力の消費を抑制する第１省電力状態と、前記第１省電力状態より電力の消費を抑制する第２省電力状態とのいずれかの状態となり、
前記省電力状態が前記第２省電力状態であるときに、前記省電力状態維持手段は、前記省電力状態において前記カバーが閉じられた場合に、前記省電力状態を維持し、省電力状態解除手段は、前記省電力状態において前記挿入口に原稿が挿入された場合に、前記省電力状態を解除することを特徴とする請求項１ないし６の何れか１項に記載の画像読取装置。
【請求項８】
画像読取時に原稿を挿入するための挿入口と、
閉じられた状態では前記挿入口を覆わない位置に開閉可能に設けられたカバーと、
を備え、前記カバーが開けられた状態で所定の処理を行い、前記カバーが閉じられた状態で画像の読取を行う画像読取装置であって、
前記画像読取装置の電力状態は、
前記通常状態と、前記通常状態より電力の消費を抑制する第１省電力状態と、前記第１省電力状態より電力の消費を抑制する第２省電力状態とのいずれかの状態となり、
前記画像読取装置が所定時間放置されることで、前記画像読取装置の電力状態を、前記通常状態から前記第１省電力状態に移行する省電力状態移行手段と、
前記第１省電力状態において前記カバーが閉じられた場合に、前記第１省電力状態を維持する省電力状態維持手段と、
前記第１省電力状態において前記カバーが開けられた場合に、前記第１省電力状態を解除する省電力状態解除手段と、
を備えることを特徴とする画像読取装置。
【請求項９】
画像読取時に原稿を挿入するための挿入口と、
閉じられた状態では前記挿入口を覆わない位置に開閉可能に設けられたカバーと、
を備え、前記カバーが開けられた状態で所定の処理を行い、前記カバーが閉じられた状態で画像の読取を行う画像読取装置のコンピュータが読み取り可能な制御プログラムであって、
前記画像読取装置が所定時間放置されることで、前記画像読取装置の電力状態を、通常状態から省電力状態に移行する省電力状態移行手段と、
前記省電力状態において前記カバーが閉じられた場合に、前記省電力状態を維持する省電力状態維持手段と、
前記省電力状態において前記挿入口に原稿が挿入された場合に、前記省電力状態を解除する省電力状態解除手段と、
して前記コンピュータを機能させることを特徴とする制御プログラム。
【発明の詳細な説明】
【技術分野】
【０００１】
本発明は、画像の読取を行う画像読取装置および、画像読取装置の作動を制御するための制御プログラムに関する。
【背景技術】
【０００２】
画像読取装置では、通常、画像読取装置が使用されることなく一定時間経過すると、画像読取装置の電力状態が、通常状態から省電力状態に移行する。そして、省電力状態において、ボタン操作、センサによる入力等が行われると、省電力状態が解除され、画像の読取処理等を行うことが可能となる。このように構成された画像読取装置の一例が下記特許文献に記載されている。
【先行技術文献】
【特許文献】
【０００３】
【特許文献１】特開２０１１−８７０６５号公報
【発明の概要】
【発明が解決しようとする課題】
【０００４】
上記特許文献に記載の技術によれば、電力の消費を抑制するとともに、画像の読取処理を行う際に、迅速に省電力状態を解除することが可能となる。しかしながら、画像読取装置の構造によっては、省電力状態の解除により、電力が無駄に消費される虞がある。一方で、省電力状態の維持により、画像の読取処理に迅速に対応できず、操作性が低下する虞がある。具体的には、画像読取装置には、カバーが設けられ、カバーが開けられた状態で所定の処理を行い、カバーが閉じられた状態で画像の読取処理を行うものがある。
【０００５】
このような画像読取装置において、ユーザは、画像の読取処理を行う際に、カバーを閉じる。一方で、カバーが開けられた状態での画像読取装置の使用を終了する際にも、ユーザはカバーを閉じる。このため、例えば、ユーザが、カバーが開けられた状態での画像読取装置の使用の終了を意図してカバーを閉じた場合に、省電力状態が解除されると、電力が無駄に消費される。一方で、ユーザが、画像の読取処理を意図してカバーを閉じた場合に、省電力状態が解除されないと、画像の読取処理に迅速に対応できず、操作性が低下する。本発明は、そのような事情に鑑みてなされたものであり、カバーの開状態で所定の処理を行い、カバーの閉状態で画像の読取処理を行う画像読取装置において、消費電力を抑制するとともに、操作性を向上させることが可能な技術を提供する。
【課題を解決するための手段】
【０００６】
上記課題を解決するために、請求項１に記載の画像読取装置は、画像読取時に原稿を挿入するための挿入口と、閉じられた状態では前記挿入口を覆わない位置に開閉可能に設けられたカバーとを備え、前記カバーが開けられた状態で所定の処理を行い、前記カバーが閉じられた状態で画像の読取を行う画像読取装置であって、前記画像読取装置が所定時間放置されることで、前記画像読取装置の電力状態を、通常状態から省電力状態に移行する省電力状態移行手段と、前記省電力状態において前記カバーが閉じられた場合に、前記省電力状態を維持する省電力状態維持手段と、前記省電力状態において前記挿入口に原稿が挿入された場合に、前記省電力状態を解除する省電力状態解除手段とを備えることを特徴とする。
【０００７】
また、請求項８に記載の画像読取装置は、画像読取時に原稿を挿入するための挿入口と、閉じられた状態では前記挿入口を覆わない位置に開閉可能に設けられたカバーとを備え、前記カバーが開けられた状態で所定の処理を行い、前記カバーが閉じられた状態で画像の読取を行う画像読取装置であって、前記画像読取装置の電力状態は、前記通常状態と、前記通常状態より電力の消費を抑制する第１省電力状態と、前記第１省電力状態より電力の消費を抑制する第２省電力状態とのいずれかの状態となり、前記画像読取装置が所定時間放置されることで、前記画像読取装置の電力状態を、前記通常状態から前記第１省電力状態に移行する省電力状態移行手段と、前記第１省電力状態において前記カバーが閉じられた場合に、前記第１省電力状態を維持する省電力状態維持手段と、前記第１省電力状態において前記カバーが開けられた場合に、前記第１省電力状態を解除する省電力状態解除手段とを備えることを特徴とする。
【発明の効果】
【０００８】
請求項１に記載の画像読取装置では、省電力状態においてカバーが閉じられた場合に、省電力状態が維持され、省電力状態において原稿が挿入口に挿入された場合に、省電力状態が解除される。つまり、ユーザが画像の読取処理を意図して、原稿を挿入口に挿入した場合には、省電力状態が解除され、ユーザが画像の読取処理を意図せず、カバーを閉じた場合、例えば、画像読取装置の使用の終了を意図して、カバーを閉じた場合には、省電力状態が維持される。これにより、消費電力を抑制するとともに、画像の読取処理への迅速な対応により、操作性を向上させることが可能となる。
【０００９】
請求項８に記載の画像読取装置では、省電力状態が、通常状態より電力の消費を抑制する状態、所謂、Ｓｌｅｅｐ状態と、Ｓｌｅｅｐ状態より電力の消費を抑制する状態、所謂、ＰｏｗｅｒＯｆｆ状態とのいずれかの状態であり、Ｓｌｅｅｐ状態においてカバーが閉じられた場合に、省電力状態が維持され、Ｓｌｅｅｐ状態においてカバーが開けられた場合に、省電力状態が解除される。ユーザが、カバーを開ける際には、通常、所定の処理を実行する意図を持っている。つまり、ユーザが所定の処理を意図して、カバーを開けた場合には、省電力状態が解除される。一方、カバーが閉じられた場合には、省電力状態が維持される。これにより、消費電力を抑制するとともに、所定の処理への迅速な対応により、操作性を向上させることが可能となる。
【００１０】
なお、カバーが開けられた状態で行われる「所定の処理」は、具体的に限定されることなく、種々の処理を行うことが可能である。具体的には、例えば、画像の読取処理、印刷処理、データ入力処理等が挙げられる。
【００１１】
また、請求項２に記載の画像読取装置では、省電力状態においてカバーが開けられた場合に、省電力状態が解除される。ユーザが、カバーを開ける際には、通常、所定の処理を実行する意図を持っている。このため、請求項２に記載の画像読取装置によれば、所定の処理への迅速な対応により、操作性を向上させることが可能となる。
【００１２】
また、請求項３に記載の画像読取装置では、挿入口への原稿の挿入により、画像が読み取られる。つまり、原稿が挿入口に挿入されると、開始ボタン等が操作されることなく、省電力状態が解除され、画像の読取処理が開始する。これにより、画像の読取処理への迅速な対応により、操作性を向上させることが可能となる。
【００１３】
また、請求項４に記載の画像読取装置では、画像データの送信先を選択するための複数の選択ボタンが設けられており、選択ボタンの操作により、画像が読み取られる。これにより、画像データの送信先を任意に設定することが可能となる。
【００１４】
また、請求項５に記載の画像読取装置では、省電力状態の解除後に、複数の選択ボタンが表示される。これにより、選択ボタンを必要時にのみ表示することが可能となり、消費電力を抑制することが可能となる。
【００１５】
また、請求項６に記載の画像読取装置では、省電力状態の解除後に、複数の選択ボタンの全てが表示され、設定時間経過後に、画像データを送信することが可能な状態にある送信先の選択ボタンのみが表示される。これにより、ユーザは、送信可能な状態にある送信先を確実に選択することが可能となる。
【００１６】
また、請求項７に記載の画像読取装置では、省電力状態が、通常状態より電力の消費を抑制する状態、所謂、Ｓｌｅｅｐ状態と、Ｓｌｅｅｐ状態より電力の消費を抑制する状態、所謂、ＰｏｗｅｒＯｆｆ状態とのいずれかの状態であり、ＰｏｗｅｒＯｆｆ状態においてカバーが閉じられた場合に、省電力状態が維持され、ＰｏｗｅｒＯｆｆ状態において挿入口に原稿が挿入された場合に、省電力状態が解除される。ＰｏｗｅｒＯｆｆ状態では、通常、主電源スイッチが操作されない限り、省電力状態が維持される。しかしながら、請求項７に記載の画像読取装置では、挿入口への原稿の挿入により、省電力状態が解除される。これにより、画像の読取処理への迅速な対応により、操作性を向上させることが可能となる。
【図面の簡単な説明】
【００１７】
【図１】スキャナ１０のブロック図である。
【図２】カバー１４が閉じられた状態のスキャナ１０の斜視図である。
【図３】カバー１４が開けられた状態のスキャナ１０の斜視図である。
【図４】カバー１４が開けられた状態のスキャナ１０でのタッチパネル３６及び主電源スイッチ３４の正面図である。
【図５】カバー１４が閉じられた状態のスキャナ１０でのタッチパネル３６の正面図である。
【図６】スキャナ１０の動作フローチャートを示す図である。
【図７】スキャナ１０の動作フローチャートを示す図である。
【図８】タッチパネル３６の表示態様例を示す図である。
【図９】タッチパネル３６の表示態様例を示す図である。
【発明を実施するための形態】
【００１８】
＜実施形態＞
図１に、本願に係る実施形態として例示されるスキャナ１０のブロック図を示し、図２及び図３に、スキャナ１０の斜視図を示す。スキャナ１０は、スキャナ本体１２とカバー１４とによって構成されており、カバー１４は、スキャナ本体１２の上面に開閉可能に設けられている。図２は、カバー１４が閉じられた状態のスキャナ１０を示す斜視図であり、図３は、カバー１４が開けられた状態のスキャナ１０を示す斜視図である。
【００１９】
スキャナ１０は、原稿を読み取り、スキャンデータを作成する装置である。スキャナ１０には、図３に示すように、スキャナ本体１２の上面に原稿台２２が設けられており、原稿台２２は、カバー１４を開けた状態で露出する。その原稿台２２にセットされた原稿は、第１挿入口２４からスキャナ１０内に挿入され、画像が読み取られることで、スキャンデータが作成される。なお、第１挿入口２４から挿入される原稿の読取可能な最大サイズは、Ａ４サイズとされている。
【００２０】
また、スキャナ１０には、第１挿入口２４とは異なる第２挿入口２６が設けられている。第２挿入口２６は、スキャナ本体１２の背面側に設けられており、カバー１４が閉じられた状態で、第２挿入口２６に原稿を挿入することが可能となっている。ただし、第２挿入口２６には、原稿台は設けられていないため、手で把持した状態の原稿が、第２挿入口２６に挿入される。なお、第２挿入口２６から挿入される原稿の読取可能な最大サイズは、名刺サイズとされている。
【００２１】
また、第２挿入口２６から挿入される原稿は、比較的硬い材質の原稿であっても読取可能とされている。具体的には、厚紙，プラスチック等により成形された名刺，クレジットカード等を読取可能とされている。なお、第１挿入口２４から挿入される原稿の読取は、硬い材質の原稿の読取には対応しておらず、薄紙等の柔らかい材質の原稿に対応している。
【００２２】
スキャナ１０は、図１に示すように、ＣＰＵ（Central Processing Unitの略）３０、記憶部３２、主電源スイッチ３４、タッチパネル３６、画像読取機構３８、ネットワーク用Ｉ／Ｆ４０、ＵＳＢ用Ｉ／Ｆ４２、原稿検出センサ４４、カバーセンサ４６を主に備えている。これらの構成要素は、入出力ポート４８を介して互いに通信可能とされている。
【００２３】
画像読取機構３８は、ラインイメージセンサ等により構成されており、第１挿入口２４若しくは第２挿入口２６から挿入された原稿を読み取ることで、スキャンデータを作成する。原稿検出センサ４４は、第２挿入口２６に設けられており、第２挿入口２６に原稿が挿入されたか否かを検出する。カバーセンサ４６は、カバー１４の開閉状態の切換を検出する。詳しくは、カバー１４が閉じられた状態から開けられたこと、若しくは、カバー１４が開けられた状態から閉じられたことを検出する。
【００２４】
ネットワーク用Ｉ／Ｆ４０は、既知の無線ＬＡＮアクセスポイントであるアクセスポイント５０を介して、無線ＬＡＮ方式のインフラストラクチャーモード（複数の無線ＬＡＮ端末装置が、アクセスポイントを介してデータ通信するモード）に準拠する無線通信（電波を用いたデータ通信）５６を行うことが可能とされている。ＭＦＰ（Multifunction Peripheralの略）６０および、ＰＣ（Personal computerの略）６２も、第１アクセスポイント５０を介して、無線ＬＡＮ方式のインフラストラクチャーモードに準拠する無線通信６を行うことが可能とされている。すなわち、スキャナ１０は、アクセスポイント５０を介して、ＭＦＰ６０若しくはＰＣ６２にスキャンデータを送信することが可能である。
【００２５】
ＵＳＢ用Ｉ／Ｆ４２には、ＵＳＢメモリ６４若しくはＰＣ（Personal computerの略）６６を接続することが可能とされている。これにより、スキャナ１０は、ＵＳＢメモリ６４若しくはＰＣ６６にスキャンデータを送信することが可能である。
【００２６】
タッチパネル３６は、スキャナ１０を操作するためのものであり、図３に示すように、スキャナ本体１２の上面に設けられている。また、主電源スイッチ３４も、スキャナ本体１２の上面に設けられている。このため、カバー１４が開けられた状態において、ユーザは、図３及び図４に示すように、主電源スイッチ３４及びタッチパネル３６を視認するとともに、操作することが可能となっている。ただし、カバー１４には、タッチパネル３６の形状に合わせて切欠部６８が形成されている。このため、カバー１４が閉じられた状態において、ユーザは、図２及び図５に示すように、切欠部６８を介して、タッチパネル３６を視認するとともに、操作することが可能となっている。
【００２７】
タッチパネル３６には、図４及び図５に示すように、４個の選択ボタン７０，７２，７４，７６、開始ボタン７８、中止ボタン８０、表示部８２が設けられている。４個の選択ボタン７０，７２，７４，７６は、スキャンデータの送信先を選択するためのボタンである。
【００２８】
選択ボタン７０は、スキャンデータの送信先としてＰＣ６６を選択するためのボタンである。選択ボタン７２は、スキャンデータの送信先としてＵＳＢメモリ６４を選択するためのボタンである。選択ボタン７４は、スキャンデータの送信先としてＭＦＰ６０を選択するためのボタンである。選択ボタン７６は、スキャンデータの送信先としてＰＣ６４を選択するためのボタンである。開始ボタン７８は、画像の読み取りを開始するためのボタンである。中止ボタン８０は、画像の読み取りを中止するためのボタンである。
【００２９】
それら複数のボタン７０，７２，７４，７６、７８、８０は、タッチセンサ式のボタンであり、各ボタン７０，７２，７４，７６、７８、８０に対応して、ＬＥＤ（図示省略）が設けられている。各ボタン７０，７２，７４，７６、７８、８０は、ＬＥＤの点灯により、タッチパネル３６上に表示され、ＬＥＤの消灯により、各ボタン７０，７２，７４，７６、７８、８０がタッチパネル３６に表示されなくなる。また、ＬＥＤの点滅により、各ボタン７０，７２，７４，７６、７８、８０が間隔をおいた状態、つまり、点滅状態でタッチパネル３６に表示される。なお、ＬＥＤの点滅間隔を変更することが可能とされている。
【００３０】
表示部８２は、通信状態表示部８４及びエラー表示部８６によって構成されている。通信状態表示部８４は、無線通信（電波を用いたデータ通信）５６の状態を示すものであり、点灯により、無線状態が良好であることを示す。エラー表示部８６は、エラーの発生を示すものであり、点灯により、エラーの発生を示す。
【００３１】
記憶部３２は、プログラム８８を記憶する。プログラム８８は、スキャンプログラム９０、オペレーティングシステム９２を含む。スキャンプログラム９０は、画像読取機構３８によって得られたスキャンデータを各種機器に送信する処理を、ＣＰＵ３０に実行させるためのプログラムである。オペレーティングシステム９２は、スキャンプログラム９０に利用される基本的な機能を提供するプログラムである。オペレーティングシステム９２は、ネットワーク用Ｉ／Ｆ４０に通信を実行させるためのプログラムなどを含む。
【００３２】
また、記憶部３２は、スキャンデータ記憶領域９６を備える。スキャンデータ記憶領域９６は、画像読取機構３８によって得られたスキャンデータなどを記憶する領域である。なお、記憶部３２は、ＲＡＭ（Random Access Memoryの略）、ＲＯＭ（Read Only Memoryの略）、フラッシュメモリー、ＨＤＤ（ハードディスクの略）、ＣＰＵ３０が備えるバッファなどが組み合わされて構成されている。
【００３３】
ＣＰＵ３０は、記憶部３２内のプログラム８８に従って処理を実行する。以降、スキャンプログラム９０やオペレーティングシステム９２など、プログラムを実行するＣＰＵ３０のことを、単にプログラム名でも記載する場合がある。例えば、「スキャンプログラム９０が」という記載は、「スキャンプログラム９０を実行するＣＰＵ３０が」ということを意味する場合がある。
【００３４】
＜スキャナの動作＞
実施形態に係るスキャナ１０の動作を説明する。スキャナ１０では、スキャンプログラム９０を用いて、画像読取機構３８によって原稿からスキャンデータを取得し、取得したスキャンデータを所定の機器に送信するための処理が施される。具体的に、図６及び図７を用いて、スキャンデータを取得し、取得したスキャンデータを所定の機器に送信するためのフローを説明する。
【００３５】
Ｓ１００において、ＣＰＵ３０は、スキャナ１０の電力状態を通常状態とする。そして、Ｓ１０２に進む。ちなみに、通常状態とは、スキャナ１０による画像の読取、各種ボタン操作等を行うことができるように、スキャナ１０に電力が供給されている状態を意味する。
【００３６】
Ｓ１０２において、ＣＰＵ３０は、Ｓｌｅｅｐ条件を満たしているか否かを判断する。具体的には、ＣＰＵ３０は、ユーザによるボタン操作および、各種センサによる検出が所定の時間継続的に行われていない場合に、Ｓｌｅｅｐ条件を満たしていると判断する。Ｓｌｅｅｐ条件を満たしていない場合（Ｓ１０２：ＮＯ）にはＳ１０２を繰り返す。一方、Ｓｌｅｅｐ条件を満たしている場合（Ｓ１０２：ＹＥＳ）にはＳ１０４に進む。
【００３７】
Ｓ１０４において、ＣＰＵ３０は、スキャナ１０の電力状態をＳｌｅｅｐ状態とする。そして、Ｓ１０６に進む。ちなみに、Ｓｌｅｅｐ状態とは、通常状態より電力の消費を抑制した状態を意味し、Ｓｌｅｅｐ状態において、選択ボタン７０等の各種ボタンのＬＥＤは消灯する。
【００３８】
Ｓ１０６において、ＣＰＵ３０は、選択ボタン７０等の各種ボタンの操作が行われたか否かを判断する。ボタン操作が行われた場合（Ｓ１０６：ＹＥＳ）にはＳ１００に戻る。一方、ボタン操作が行われていない場合（Ｓ１０６：ＮＯ）にはＳ１０８に進む。
【００３９】
Ｓ１０８において、ＣＰＵ３０は、カバーセンサ４６による検出の有無を判断する。つまり、ＣＰＵ３０は、カバー１４の開閉状態の切換が行われたか否かを判断する。カバーセンサ４６による検出が無かった場合（Ｓ１０８：ＮＯ）にはＳ１１２に進む。一方、カバーセンサ４６による検出が有った場合（Ｓ１０８：ＹＥＳ）にはＳ１１０に進む。
【００４０】
Ｓ１１０において、ＣＰＵ３０は、カバーセンサ４６による検出が、カバー１４の閉状態から開状態への切換であったか否かを判断する。つまり、ＣＰＵ３０は、カバー１４が開けられたが否かを判断する。カバー１４が開けられた場合（Ｓ１１０：ＹＥＳ）にはＳ１００に戻る。一方、カバー１４が閉じられた場合（Ｓ１１０：ＮＯ）にはＳ１１２に進む。
【００４１】
Ｓ１１２において、ＣＰＵ３０は、ＰｏｗｅｒＯｆｆ条件を満たしているか否かを判断する。具体的には、ＣＰＵ３０は、Ｓｌｅｅｐ状態が所定の時間維持されているか否かを判断する。ＰｏｗｅｒＯｆｆ条件を満たしていない場合（Ｓ１１２：ＮＯ）にはＳ１０６に戻る。一方、ＰｏｗｅｒＯｆｆ条件を満たしている場合（Ｓ１１２：ＹＥＳ）にはＳ１１４に進む。
【００４２】
Ｓ１１４において、ＣＰＵ３０は、スキャナ１０の電力状態をＰｏｗｅｒＯｆｆ状態とする。そして、Ｓ１１６に進む。ちなみに、ＰｏｗｅｒＯｆｆ状態とは、Ｓｌｅｅｐ状態より電力の消費を抑制した状態を意味し、ＰｏｗｅｒＯｆｆ状態において、各種ボタンのＬＥＤの消灯は維持され、主電源スイッチ３４を除く各種ボタンへの入力は無効とされる。また、ＰｏｗｅｒＯｆｆ状態で主電源スイッチ３４が押下されると、通常状態となる。つまり、Ｓ１００に遷移する。
【００４３】
Ｓ１１６において、ＣＰＵ３０は、カバーセンサ４６による検出の有無を判断し、検出が有った場合に、その検出結果が、カバー１４の閉状態から開状態への切換であったか否かを判断する。つまり、ＣＰＵ３０は、カバー１４が開けられたが否かを判断する。カバー１４が開けられた場合（Ｓ１１６：ＹＥＳ）にはＳ１００に戻る。一方、カバー１４が閉じられた場合（Ｓ１１６：ＮＯ）にはＳ１１８に進む。
【００４４】
Ｓ１１８において、ＣＰＵ３０は、原稿検出センサ４４による検出の有無を判断する。つまり、ＣＰＵ３０は、第２挿入口２６に原稿が挿入されたか否かを判断する。原稿検出センサ４４による検出が無かった場合（Ｓ１１８：ＮＯ）にはＳ１１６に戻る。一方、原稿検出センサ４４による検出が有った場合（Ｓ１１８：ＹＥＳ）にはＳ１２０に進む。
【００４５】
Ｓ１２０において、ＣＰＵ３０は、４個の選択ボタン７０，７２，７４，７６に対応する全ＬＥＤを点灯する。そして、Ｓ１２２に進む。Ｓ１２２において、ＣＰＵ３０は、ＬＥＤ点灯後に設定時間経過したことを条件として、スキャンデータを送信可能な状態にある機器（ＭＦＰ６０、ＰＣ６２、ＵＳＢメモリ６４、ＰＣ６６）に対応する選択ボタン７０，７２，７４，７６のＬＥＤの点灯を維持する。つまり、ＣＰＵ３０は、スキャンデータを送信可能でない状態にある機器に対応する選択ボタン７０，７２，７４，７６のＬＥＤを消灯する。そして、Ｓ１２４に進む。
【００４６】
Ｓ１２４において、ＣＰＵ３０は、スキャンデータの送信可能な機器が複数有るか否かを判断する。送信可能な機器が複数有る場合（Ｓ１２４：ＹＥＳ）にはＳ１３４に進む。Ｓ１３４において、ＣＰＵ３０は、複数の送信可能な機器の中から送信先が選択されたか否かを判断する。つまり、ＣＰＵ３０は、表示されている選択ボタンが押されたか否かを判断する。送信先が選択されていない場合（Ｓ１３４：ＮＯ）にはＳ１３４を繰り返す。一方、送信先が選択された場合（Ｓ１３４：ＹＥＳ）にはＳ１３６に進む。
【００４７】
Ｓ１３６において、ＣＰＵ３０は、開始ボタン７８が押されたか否かを判断する。ちなみに、開始ボタン７８は、選択ボタンが押下される前に、タッチパネル３６に表示されておらず、選択ボタンが押下された後に、タッチパネル３６に表示される。
【００４８】
開始ボタン７８が押下されていない場合（Ｓ１３６：ＮＯ）にはＳ１３６を繰り返す。一方、開始ボタン７８が押下された場合（Ｓ１３６：ＹＥＳ）にはＳ１２８に進む。Ｓ１２８において、ＣＰＵ３０は、第２挿入口２６に挿入された原稿の読取を開始する。
【００４９】
また、送信可能な機器が複数無い場合（Ｓ１２４：ＮＯ）、つまり、送信可能な機器が１つだけの場合にはＳ１２６に進む。Ｓ１２６において、ＣＰＵ３０は、その１つの送信可能な機器に、スキャンデータの送信先に関するデフォルト設定がされているか否かを判断する。つまり、ＣＰＵ３０は、送信可能な１つの機器が、優先的にスキャンデータを送信するべき送信先として設定されているか否かを判断する。送信可能な１つの機器にデフォルト設定されていない場合（Ｓ１２６：ＮＯ）にはＳ１３４に進む。一方、送信可能な１つの機器にデフォルト設定されている場合（Ｓ１２６：ＹＥＳ）にはＳ１２８に進む。Ｓ１２８において、ＣＰＵ３０は、第２挿入口２６に挿入された原稿の読取を開始する。
【００５０】
原稿の読取が開始された後に、Ｓ１３０において、ＣＰＵ３０は、原稿の読取が終了したか否かを判断する。原稿の読取が終了していない場合（Ｓ１３０：ＮＯ）にはＳ１２８に戻る。一方、原稿の読取が終了した場合（Ｓ１３０：ＹＥＳ）にはＳ１３２に進む。Ｓ１３２において、ＣＰＵ３０は、原稿の読取によって取得したスキャンデータを設定された送信先に送信する。そして、フローを終了する。
【００５１】
＜効果＞
実施形態にかかるスキャナ１０では、カバー１４が開けられた状態で、第１挿入口２４に原稿が挿入され、その原稿のスキャン処理が行われる。一方、カバー１４が閉じられた状態で、第２挿入口２６に原稿が挿入され、その原稿のスキャン処理が行われる。つまり、ユーザが、第１挿入口２４への原稿の挿入によるスキャン処理（以下、「第１スキャン処理」と言う場合がある）を行いたい場合には、カバー１４を開け、第２挿入口２６への原稿の挿入によるスキャン処理（以下、「第２スキャン処理」と言う場合がある）を行いたい場合には、カバー１４を閉じる。また、スキャナ１０の使用が終了した際に、ユーザは、通常、カバー１４を閉じる。このため、ユーザは、第２スキャン処理を行いたい場合にも、カバー１４を閉じ、スキャナ１０の使用を終了したい場合にも、カバー１４を閉じる。
【００５２】
また、スキャナ１０の電力消費を抑制するべく、所定の条件を満たした場合に、スキャナ１０の電力状態が、通常状態から、Ｓｌｅｅｐ状態、若しくはＰｏｗｅｒＯｆｆ状態に移行する。従来のスキャナ、ＰＣ等では、Ｓｌｅｅｐ状態でボタン操作、センサ検出等が行われた場合に、Ｓｌｅｅｐ状態が解除される。このため、スキャナ１０で従来のＳｌｅｅｐ状態の解除手法が採用されると、ユーザが、Ｓｌｅｅｐ状態においてスキャナ１０の使用の終了を意図してカバー１４を閉じた場合に、カバーセンサ４６の検出によりＳｌｅｅｐ状態が解除される。この場合には、ユーザはスキャナ１０の使用の終了を意図しており、Ｓｌｅｅｐ状態の解除により電力を無駄に消費するため、好ましくない。
【００５３】
また、従来のスキャナ、ＰＣ等では、ＰｏｗｅｒＯｆｆ状態でボタン操作、センサ検出等が行われても、ＰｏｗｅｒＯｆｆ状態は解除されない。このため、スキャナ１０で従来のＰｏｗｅｒＯｆｆ状態の解除手法が採用されると、ユーザが、ＰｏｗｅｒＯｆｆ状態において第２スキャン処理を意図してカバー１４を閉じた場合であっても、ＰｏｗｅｒＯｆｆ状態は解除されない。この場合には、ＰｏｗｅｒＯｆｆ状態の維持により、スキャン処理に迅速に対応できず、操作性が低下する。
【００５４】
このようなことに鑑みて、スキャナ１０では、Ｓｌｅｅｐ状態においてカバー１４が閉じられた場合（Ｓ１１０：ＮＯ）には、Ｓｌｅｅｐ状態が維持される。これにより、無駄なＳｌｅｅｐ状態の解除を抑制することが可能となり、省電力化を図ることが可能となる。また、ＰｏｗｅｒＯｆｆ状態において、原稿の第２挿入口２６への挿入が検出された場合（Ｓ１１８：ＹＥＳ）には、ＰｏｗｅｒＯｆｆ状態が解除される。これにより、第２スキャン処理に対して迅速に対応することが可能となり、操作性が向上する。
【００５５】
また、スキャナ１０では、ＰｏｗｅｒＯｆｆ状態においてカバー１４が開けられた場合（Ｓ１１６：ＹＥＳ）には、ＰｏｗｅｒＯｆｆ状態が解除される。ユーザが、カバー１４を開ける際には、第１スキャン処理を実行する意図を持っている。このため、カバー１４が開けられたことを条件として、ＰｏｗｅｒＯｆｆ状態を解除することで、第１スキャン処理に対して迅速に対応することが可能となり、操作性が向上する。
【００５６】
また、スキャナ１０では、第２挿入口２６に原稿が挿入された場合（Ｓ１１８：ＹＥＳ）には、選択ボタン７０，７２，７４，７６の全てが表示される（Ｓ１２０）。そして、スキャンデータを送信可能な状態にある機器（ＭＦＰ６０、ＰＣ６２、ＵＳＢメモリ６４、ＰＣ６６）に対応する選択ボタン７０，７２，７４，７６だけが表示される（Ｓ１２２）。
【００５７】
具体的には、第２挿入口２６への原稿の挿入により、図８（ａ）に示すように、選択ボタン７０，７２，７４，７６がタッチパネル３６に表示される。これにより、選択ボタン７０，７２，７４，７６を必要時にのみ表示することが可能となり、省電力を図ることが可能となる。そして、ＭＦＰ６０、ＰＣ６２、ＰＣ６６だけにスキャンデータを送信可能である場合、つまり、ＵＳＢメモリ６４にスキャンデータを送信できない場合には、図８（ｂ）に示すように、選択ボタン７２の表示が消され、選択ボタン７０，７４，７６がタッチパネル３６に表示される。これにより、ユーザは、スキャンデータを送信可能な状態にある機器の中から送信先を確実に選択することが可能となる。
【００５８】
また、スキャナ１０では、スキャンデータを送信可能な状態にある機器が１つであり（Ｓ１２４：ＮＯ）、その１つの機器に、スキャンデータの送信先に関してデフォルト設定されている場合（Ｓ１２６：ＹＥＳ）には、選択ボタン７０および開始ボタン７８が操作されることなく、スキャン処理が行われる（Ｓ１２８）。
【００５９】
具体的には、第２挿入口２６への原稿の挿入により、図９（ａ）に示すように、選択ボタン７０，７２，７４，７６がタッチパネル３６に表示される。そして、ＰＣ６６だけにスキャンデータを送信可能である場合には、図９（ｂ）に示すように、選択ボタン７０だけがタッチパネル３６に表示される。そして、ＰＣ６６にデフォルト設定されている場合には、選択ボタン７０および開始ボタン７８の操作なしに、スキャン処理が行われる。これにより、ユーザは、余分な操作を省くことが可能となる。
【００６０】
＜変形例＞
上記実施形態では、各種ボタン７０，７２，７４，７６、７８、８０がタッチセンサ式のボタンとされているが、部材の押下、タッチまたは接近を、部材を介した操作入力として受け付けるものであればよい。また、説明書等に「ボタン」と記載されておらず、「キー」等と記載されている部材であっても、本発明の「ボタン」に含まれる。
【００６１】
上記実施例では、スキャナ１０は、カバー１４が閉じられた状態でスキャン処理を行っているが、他の種々の処理を行ってもよい。具体的には、印刷処理、パネル等への表示処理、入力キー等による入力処理等が挙げられる。
【００６２】
また、上記実施例では、Ｓｌｅｅｐ状態においてカバー１４が閉じられた場合に、Ｓｌｅｅｐ状態が維持されているが、Ｓｌｅｅｐ状態が解除されるように構成されてもよい。
【００６３】
本実施形態のスキャナ１０では、スキャンプログラム９０に基づいて実行するＣＰＵ３０が、各種の処理を行う場合を説明した。しかし、この形態に限られない。スキャンプログラム９０に基づいて実行するＣＰＵ３０が、オペレーティングシステム９２、他のシステム、ハード構成に対して、各種の処理を行わせる指示を出す形態であってもよい。
【００６４】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【００６５】
スキャナ１０は画像読取装置の一例である。カバー１４は、カバーの一例である。ＣＰＵ３０はコンピュータの一例である。第２挿入口２６は挿入口の一例である。選択ボタン７０，７２，７４，７６は選択ボタンの一例である。スキャンプログラム９０は制御プログラムの一例である。Ｓ１０４、Ｓ１１４を実行するＣＰＵ３０は、省電力状態移行手段の一例である。Ｓ１１０、Ｓ１１６を実行するＣＰＵ３０は、省電力状態維持手段の一例である。Ｓ１２０を実行するＣＰＵ３０は、省電力状態解除手段の一例である。Ｓ１２８を実行するＣＰＵ３０は、画像読取手段の一例である。Ｓ１２０、Ｓ１２２を実行するＣＰＵ３０は、選択ボタン表示手段の一例である。Ｓｌｅｅｐ状態は、第１省電力状態の一例である。ＰｏｗｅｒＯｆｆ状態は、第２省電力状態の一例である。
【００６６】
なお、各プログラムは一つのプログラムモジュールから構成されるものであってもよいし、複数のプログラムモジュールから構成されるものであってもよい。また、各一例は置換可能な他の構成であってもよく、本発明の範疇である。プログラム（スキャンプログラム９０）に基づく処理を実行するコンピュータ（ＣＰＵ３０）であってもよいし、オペレーティングシステムや他のアプリケーション、プログラムなど、本実施例のプログラム以外のプログラムに基づく処理を実行するコンピュータであってもよいし、コンピュータの指示に従って動作するハード構成（画像読取機構３８など）であってもよいし、コンピュータとハード構成とが連動した構成であってもよい。もちろん、複数のプログラムに基づく処理を連動させて処理を実行するコンピュータであってもよいし、複数のプログラムに基づく処理を連動させて処理を実行するコンピュータの指示に従って動作するハード構成であってもよい。
【符号の説明】
【００６７】
１０：スキャナ、１４：カバー、２６：第２挿入口、７０：選択ボタン、７２：選択ボタン、７４：選択ボタン、７６：選択ボタン
【図１】
2014053785.tif 000003
【図２】
2014053785.tif 000004
【図３】
2014053785.tif 000005
【図４】
2014053785.tif 000006
【図５】
2014053785.tif 000007
【図６】
2014053785.tif 000008
【図７】
2014053785.tif 000009
【図８】
2014053785.tif 000010
【図９】
2014053785.tif 000011